(57)【要約】【課題】  乾燥性能を向上させる。【解決手段】  外槽カバー１９の開口部２１を開閉する内蓋２０の裏側に、給風装置１１の風出口である通風口２４と近接した部分から内槽７の内方に向かって延びる溝部３５を形成した。これにより、給風装置１１による風が、最初、外槽５の内部に供給されるも、その後、溝部３５により外方への拡散を抑制されて該溝部３５を通り、内槽７の内方に導かれて内槽７の内部に有効に供給される。かくして、洗濯物の全部を乾燥させるのに多くの時間がかかるようなことがなくなり、乾燥性能を向上させることができる。【選択図】  図１
2006034332.tif 000002
【特許請求の範囲】
【請求項１】
機内部に、外槽と、この外槽の内部に位置する内槽、内槽を回転駆動する駆動装置、前記外槽の上縁部を覆う外槽カバー、外槽カバーの開口部を開閉する内蓋、内蓋の外側に風出口を有する給風装置を具えたものおいて、
前記内蓋の裏側に、前記給風装置の風出口と近接した部分から前記内槽の内方に向かって延びる溝部を形成したことを特徴とする乾燥機能付き洗濯機。
【請求項２】
内蓋が、金属製の裏板と、合成樹脂製の表板とを有して成ることを特徴とする請求項１記載の乾燥機能付き洗濯機。
【請求項３】
内蓋が、外槽カバーの開口部に面する部分だけを金属で構成したことを特徴とする請求項１記載の乾燥機能付き洗濯機。
【発明の詳細な説明】
【技術分野】
【０００１】
本発明は、内槽の内部に給風して洗濯物を乾燥させる乾燥機能付き洗濯機に関する。
【背景技術】
【０００２】
近年、洗濯物を洗濯できるだけでなく、乾燥させることまでできる乾燥機能付き洗濯機が供されている。このものは、機内部に、外槽と内槽とを具えると共に、給風装置を具え、その給風装置により、前記内槽が位置する外槽の内部に給風して、内槽の内部に収容された洗濯物を乾燥させるようになっている。
【０００３】
しかして、このものの場合、外槽の上縁部には外槽カバーが設けられており、この外槽カバーの開口部を内蓋で開閉するようにしていて、その内蓋の外側（外槽カバー）に給風装置の風出口が存在している。従って、給風装置による風は、内蓋の外側から外槽の内部に供給されるようになっている。
【特許文献１】特開平１１−１９２３９５号公報
【発明の開示】
【発明が解決しようとする課題】
【０００４】
上記従来のものの場合、給風装置による風が、内蓋の外側から外槽の内部に供給されるようになっているため、洗濯物が位置する内槽の内部にはなかなか有効に供給されず、その結果、洗濯物の全部を乾燥させるのに多くの時間がかかるなど、乾燥性能が充分良好ではなかった。
【０００５】
本発明は上述の事情に鑑みてなされたものであり、従ってその目的は、乾燥性能を向上させ得る乾燥機能付き洗濯機を提供するにある。
【課題を解決するための手段】
【０００６】
上記目的を達成するために、本発明の乾燥機能付き洗濯機においては、機内部に、外槽と、この外槽の内部に位置する内槽、内槽を回転駆動する駆動装置、前記外槽の上縁部を覆う外槽カバー、外槽カバーの開口部を開閉する内蓋、内蓋の外側に風出口を有する給風装置を具えたものおいて、前記内蓋の裏側に、前記給風装置の風出口と近接した部分から前記内槽の内方に向かって延びる溝部を形成したことを特徴とする。
【発明の効果】
【０００７】
上記手段によれば、給風装置による風は、最初、外槽の内部に供給されるも、その後、内蓋の裏側に形成した溝部により外方への拡散を抑制されて該溝部を通り、内槽の内方に導かれて内槽の内部に有効に供給される。かくして、洗濯物の全部を乾燥させるのに多くの時間がかかるようなことがなくなり、乾燥性能を向上させることができる。
【発明を実施するための最良の形態】
【０００８】
以下、本発明の一実施例（一実施形態）につき、図面を参照して説明する。
まず、図１は乾燥機能付き洗濯機の全体を縦断して表しており、外殻１を、底部に複数の脚２を有する外箱３と、これの最上部に装着したトップカバー４とで構成している。
【０００９】
機内部である外箱３内には、外槽５を、弾性吊持機構６（一部のみ図示）により弾性支持して配設しており、この外槽５の内部に内槽７を配設し、更に、内槽７の内部には、最下部に撹拌体８を配設していて、それら撹拌体８と内槽７とを洗濯時と脱水時及び乾燥時について選択回転駆動するモータを主体とする駆動装置９を、外槽５の外下方部に配設している。
【００１０】
一方、トップカバー４の内部には、前部に制御装置１０を配設し、後部に給風装置１１を配設している。このうち、制御装置１０は、乾燥機能付き洗濯機の作動全般を制御するもので、例えばマイクロコンピュータを主体に構成している。
【００１１】
給風装置１１は、ファン１２を主体とするもので、矢印Ｘで示すように、機外部の空気を後方から吸入し、それによって生起した風をケーシング１３及び可撓性のある給風ホース１４を通じて吐出するようになっている。又、この場合、ケーシング１３の内部には、ヒータ１５を配設しており、それによって、生起した風を熱し、従って、この給風装置１１からはその熱した風（温風）が給風ホース１４を通じて吐出されるようになっている。
そのほか、トップカバー４の内部には給水装置（図示せず）を配置しており、この給水装置は、水道の水を蛇口から給水弁を通じて供給するものである。
【００１２】
ここで、前記外槽５は有底の円筒状を成しており、内槽７も同じく有底の円筒状を成し、この内槽７の上縁部には、内周に回転バランサ１６を設けている。又、外槽５の下部、この場合、後側（図では左側）の周側部の下部には、排気口１７を形成し、この排気口１７に連なる下部排気通路１８を、外槽５の上記後側の周側部の下部から上部にかけて該外槽５と一体の直状ダクト構成の成形により設けている。
【００１３】
これに対して、外槽５の上縁部には、外槽カバー１９を装着している。図２は、その外槽カバー１９を拡大斜視して表しており、中央部に内蓋２０で開閉される開口部２１を有する環状にて、その開口部２１後方の後側部１９ａで、左右２つのヒンジ支え２２により、内蓋２０のヒンジ部２３を横軸回動可能に支持し、もって、内蓋２０を上下に開閉可能に枢支している。
【００１４】
又、外槽カバー１９の後側部１９ａには、通風口２４と通水口２５を左右に並べて形成しており、そのうち通風口２４には、前記給風装置１１における給風ホース１４の先端部を接続している。ここで、給風ホース１４の先端部からは前述のように給風装置１１で生起した風が吹出されるものであり、従って、その給風ホース１４の先端部を接続した通風口２４は、給風装置１１の風出口として機能するもので、それが内蓋２０の外側に位置している。
なお、通風口２４は、内蓋２０側に向かって斜めに風をガイドする傾斜部２６を内部の後側に有している。
【００１５】
又、通水口２５には、図示しない給水ホースを介して前記前記給水装置の出口部を接続している（図示せず）。
更に、それら通風口２４及び通水口２５の後側から右側には、上部排気通路２７を設けている。図３は、その上部排気通路２７を、後側から斜視して表しており、該上部排気通路２７は、外槽カバー１９とは別体の主として下面が開放した覆い部品を外槽カバー１９に複数（１つのみ図示）の取付爪１９ａにより取着して構成している。
【００１６】
しかして、外槽カバー１９を外槽５の上縁部に装着した状態では、前記下部排気通路１８に上部排気通路２７が接合されて連通するものであり、更に、上部排気通路２７の先端（開口）部分には、フィルタ２９を設けている。このフィルタ２９は、洗濯物を乾燥させるときに散出するリント（糸くず）を捕獲するためのもので、着脱可能としている。
【００１７】
図４は、内蓋２０の構成を斜視して詳細に表しており、表板３０、パッキング３１、裏板３２を重ねて結合することで、内蓋２０を構成している。そのうち、表板３０は合成樹脂製で、周縁部が土手状に隆起している以外、ほゞ平板状を成しており、前部の中央部には取手３３を取付けるための取手取付部３４を有している。
【００１８】
パッキング３１は上記表板３０の周縁部に沿う環状を成している。
裏板３２は金属製、特にはステンレス製で、周縁部を立ち上げ、且つ後部の中央部からほゞ中心部にかけて裏側に溝部３５を形成すると共に、周縁部の内側の同じく裏側に複数の凹部３６を形成している以外、ほゞ平板状を成している。
【００１９】
溝部３５並びに凹部３６は、この場合、裏板３２の上述の各部分を上方へ窪ませる絞り加工をすることにより形成したものであり、特にそのうちの溝部３５は、裏面図で図５にも示すように、後部が幅広く、前部が幅狭い、先細状を成している。又、溝部３５は、後部が前記通風口２４（給風装置１１の風出口）と近接して、後方、すなわち、通風口２４側に開放しており、その通風口２４と近接した部分から前記内槽７の内方、特にはほゞ中心部向かい延びて、図１に示すように、全面的に下方へ開放している。
【００２０】
そして更に、凹部３６には図４に示す孔３７をそれぞれ形成しており、この各孔３７を通したねじ３８（図５参照）により、裏板３２をパッキング３１を挟んで表板３０に結合しており、その各ねじ３８の頭部が凹部３６で突出しないようになっている。
【００２１】
しかして、これら表板３０、パッキング３１、裏板３２は、前記外槽カバー１９の開口部２１の形状に合ったものであり、そのうちの裏板３２が開口部２１とほゞ同一の大きさでそれに面し、表板３０はそれよりも一回り大きく、開口部２１を覆う大きさに形成している。
なお、図５において、３９は前記通水口２５の裏側（送水先）に設けた散水板を示しており、４０は前記フィルタ２９の取付けに供したフィルタ取付部を示している。
【００２２】
次に、上記構成のものの作用を述べる。
乾燥時には、給風装置１１が作動されると共に、内槽７が回転される。従って、給風装置１１からは、図１に矢印Ｘで示したように、風（温風）が給風ホース１４から通風口２４を通じて外槽５内に供給される。そして、その風は、外槽５内に供給された直後に、内蓋２０の裏側に存する溝部３５により外方への拡散を抑制されて該溝部３５を通り、内槽７の内方に導かれて内槽７の内部に有効に供給される。
【００２３】
又、このとき、内槽７内では図示しない洗濯物が内槽７の回転によって撹拌されており、内槽７内に供給された風は、その撹拌中の洗濯物に接触して、撹拌体８が有する図示しない孔、及び内槽７が底部に有する同じく図示しない孔を通って、排気口１７から下部排気通路１８に達する。そして、その下部排気通路１８から上部排気通路２７を順に通り、フィルタ２９から前上方に排出され、更に、外槽５と外箱３との間を通って、各部の適当な隙間や、外箱３の底部の開口３ａから機外に排出される。これを続けて内槽７の内部に位置した洗濯物を乾燥させる。
【００２４】
このように本構成のものによれば、乾燥時、給風装置１１による風は、最初、外槽５の内部に供給されるも、その後、内蓋２０の裏側に形成した溝部３５により外方への拡散を抑制されて該溝部３５を通り、内槽７の内方に導かれて内槽７の内部に有効に供給される。かくして、その溝部３５を有しない従来のものより、速やかに洗濯物の全部を乾燥させ得るものであり、乾燥性能を向上させることができる。
【００２５】
特に本構成のものの場合、溝部３５は、全面的に下方へ開放するものであり、それによって、その形成が容易にでき、コスト安に実現できる。又、給風装置１１は、給風ホース１４の先端部を通風孔２４に接続しているので、外槽５内への給風、ひいては内槽７内への給風が確実にでき、乾燥性能を一層向上させることができる。
【００２６】
加えて、本構成のものの場合、内蓋２０は、金属製の裏板３２と合成樹脂製の表板３０とを有して成るものであり、そのうちの金属製の裏板３２で、溝部３５を通る風、特には温風の熱に対する耐熱性を奏し、使用上の信頼性に優れる。又、合成樹脂製の表板３０では断熱性を奏し、使用者が触れても熱く感じないようにできる。
【００２７】
更に、本構成のものの場合、内蓋２０は、外槽カバー１９の開口部２１に面する部分である裏板３２だけを金属で構成しており、これによって、製品価格を極力安く済ませることができる。
【００２８】
なお、給風装置１１は、基本的には、ヒータを具えず、常温の風を供給するものであっても良い。又、給風装置１１から供給される風は、機外に排出せず、循環させて、その途中で除湿するものであっても良い。更に、溝部３５は、裏板３２に窪みで形成するのではなく、堤状の突条で囲って、その内部をそれとするものであっても良い。
そのほか、本発明は上記し且つ図面に示した実施例にのみ限定されるものではなく、要旨を逸脱しない範囲内で適宜変更して実施し得る。
【図面の簡単な説明】
【００２９】
【図１】本発明の一実施例を示す全体の縦断側面図
【図２】外槽カバー及び内蓋部分を前側から見た拡大斜視図
【図３】外槽カバー及び内蓋部分を後側から見た拡大斜視図
【図４】内蓋の拡大分解斜視図
【図５】外槽カバー及び内蓋部分の下面図
【符号の説明】
【００３０】
図面中、５は外槽、７は内槽、９は駆動装置、１１は給風装置、１９は外槽カバー、２０は内蓋、２１は開口部、２４は通風口（風出口）、３０は表板、３２は裏板、３５は溝部を示す。
【図１】
2006034332.tif 000003
【図２】
2006034332.tif 000004
【図３】
2006034332.tif 000005
【図４】
2006034332.tif 000006
【図５】
2006034332.tif 000007